(57)【特許請求の範囲】
【請求項１】
屋根上に溝形フレームを架設し、該溝形フレームの溝部内で遮熱シートを固定して遮熱シートを屋根上に張設してなる遮熱シートの取付構造において、
上記溝形フレームの溝部に内装固定された、ボルトを上方に突設させ下面側にボルト回り止め突片を備えたボルト固定杆と、該ボルトが挿通されるボルト挿通孔を有したシート押さえ体とを備えてなり、
上記遮熱シートを、上記ボルトに挿通させて、上記シート押さえ体で下方に押圧して固定したことを特徴とする遮熱シートの取付構造。
【請求項２】
請求項１において、
上記シート押さえ体は、上記溝形フレームの溝部の開口を塞ぐ押さえカバーで構成されていることを特徴とする遮熱シートの取付構造。
【請求項３】
請求項１において、
上記シート押さえ体は、上記溝形フレームの溝部に内装するシート押さえ部材と、該シート押さえ部材の上方から上記溝形フレームの溝部の開口を塞ぐ押さえカバーとよりなることを特徴とする遮熱シートの取付構造。
【発明の詳細な説明】
【技術分野】
【０００１】
本発明は、屋根上に溝形フレームを架設し、その溝形フレームの溝部内で遮熱シートを固定して屋根上に遮熱シートを張設してなる遮熱シートの取付構造に関する。
【背景技術】
【０００２】
従来、屋根上に遮熱シートを配設するために、屋根上取付具を介して溝形フレームを屋根上に架設し、その溝形フレームで遮熱シートを固定、張設するようにした遮熱シートの取付構造が種々提案されている（特許文献１参照）。
【０００３】
従来のこの種の遮熱シートの取付構造は、例えば、遮熱シートを溝形フレームの溝部の内底面と仮止めフレームとの間に挟み込んだ状態にして、その上面側で固定部材や固定ばねで溝形フレームの溝部の内底面に対して押さえつけ、その状態で溝形フレームの開口を押さえカバーで塞ぎ、押さえカバーの上方から、押さえカバー、仮止めフレーム、遮熱シートおよび溝形フレームの底部を屋根上取付具に対してビス止めする構造となっている。
【０００４】
このように、ビス止めで遮熱シートを動かないように固定する構造であるため、遮熱シートは弛んだり外れたりすることなく、張設された状態を維持できるようになっている。
【先行技術文献】
【特許文献】
【０００５】
【特許文献１】特開２０１０−１１２００７号公報
【発明の概要】
【発明が解決しようとする課題】
【０００６】
しかしながら、従来の取付構造は上記のように種々の部材を用いなければならないため、作業には多大なる時間を要していた。また、遮熱シートを仮止めフレームで溝形フレームの内底面に押さえて固定するためには工具を必要とするため、屋根上での作業はきわめて面倒なものとなっていた。
【０００７】
さらに、押さえカバーの上方から溝形フレームに対してビス止めするものでは、ビス止めによる切粉が開口を塞いだ溝内空間に溜まったり、溝形フレームの下方の波形屋根表面に飛散したりするため、その除去作業は容易ではなかった。切粉を除去せずそのまま放置すれば、雨水等によって切粉が錆びて、周辺の屋根面にも錆が及ぶおそれもあった。
【０００８】
本発明は、このような事情を考慮して提案されたもので、その目的は、屋根上への遮熱シートの取付作業を、切粉の発生するビス止めによらず簡易、迅速に行うことができる遮熱シートの取付構造を提供することにある。
【課題を解決するための手段】
【０００９】
上記目的を達成するために、請求項１に記載の遮熱シートの取付構造は、屋根上に溝形フレームを架設し、該溝形フレームの溝部内で遮熱シートを固定して遮熱シートを屋根上に張設してなる遮熱シートの取付構造において、溝形フレームの溝部に内装固定された、ボルトを上方に突設させ下面側にボルト回り止め突片を備えたボルト固定杆と、該ボルトが挿通されるボルト挿通孔を有したシート押さえ体とを備えてなり、遮熱シートを、ボルトに挿通させて、シート押さえ体で下方に押圧して固定したことを特徴とする。
【００１０】
請求項２に記載の遮熱シートの取付構造は、シート押さえ体が溝形フレームの溝部の開口を塞ぐ押さえカバーで構成されていることを特徴とする。
【００１１】
請求項３に記載の遮熱シートの取付構造は、シート押さえ体が、溝形フレームの溝部に内装するシート押さえ部材と、該シート押さえ部材の上方から溝形フレームの溝部の開口を塞ぐ押さえカバーとよりなることを特徴とする。
【発明の効果】
【００１３】
請求項１に記載の遮熱シートの取付構造によれば、溝形フレームの溝部内において、ボルトを上方に突設させたボルト固定杆と、ボルト挿通孔を有したシート押さえ体との間に遮熱シートをボルトに挿通した状態で配し、シート押さえ体で遮熱シートを押圧して張設、固定する構造となっているため、工具を使うことなく簡易、迅速に遮熱シートを十分に張った状態に取り付けることができる。
【００１４】
また、ボルトを用いて遮熱シートを固定する構成であるため、遮熱シートを張設する際にはビス止めによる切粉が発生するおそれはなく、切粉を取り除く作業が省け、遮熱シートの取付作業のさらなる迅速化が図れる。また、ボルト固定杆の下面側にボルト回り止め突片が形成してあるので、ナット止めの際にボルトが回ることがなく、効率的に作業を行える。
【００１５】
さらに、遮熱シートをボルトに通した状態で固定する構造であるため、遮熱シートの張設後に遮熱シートが弛んだり外れたりすることはもちろんなく、適切な張り具合で張設された状態を維持することができる。
【００１６】
請求項２に記載の遮熱シートの取付構造によれば、シート押さえ体が溝形フレームの溝部の開口を塞ぐ押さえカバーで構成されているので、遮熱シートをより簡易に取り付けできる。
【００１７】
請求項３に記載の遮熱シートの取付構造によれば、シート押さえ体が、溝形フレームの溝部に内装するシート押さえ部材と、その上方から溝形フレームの溝部の開口を塞ぐ押さえカバーとよりなるため、遮熱シートを２種の部材で確実に固定することができる。
【図面の簡単な説明】
【００１９】
【図１】本発明の実施形態に係る遮熱シートの取付構造の一例を示した分解斜視図である。
【図２】（ａ）は遮熱シートの取付状態を示した遮熱シートの取付構造の正面図、（ｂ）は溝形フレームの取付状態を示した概略側面図である。
【図３】（ａ）、（ｂ）は遮熱シートの取付手順を示した遮熱シートの取付構造の正面図である。
【図４】（ｃ）、（ｄ）は遮熱シートの取付手順を示した遮熱シートの取付構造の正面図である。
【図５】遮熱シートの取付構造の他例を示した正面図である。
【図６】複数の溝形フレームで遮熱シートを張設した状態を示した正面図である。
【図７】（ａ）はシート押さえ体の他の形状例を示した遮熱シートの取付構造の正面図、（ｂ）はシート押さえ体のさらに他の形状例を示した正面図である。
【発明を実施するための形態】
【００２０】
以下に、本発明の実施の形態について、添付図面を参照しながら説明する。
【００２１】
図１は、本発明の実施形態に係る遮熱シートの取付構造の一例を示した分解斜視図である。図２（ａ）は、遮熱シートの取付状態を示した遮熱シートの取付構造の正面図である。また、図２（ｂ）は、溝形フレームの取付状態を概略的に示した側面図である。
【００２２】
本実施形態における遮熱シート１の取付対象は、図２（ａ）、（ｂ）に示しているように波形屋根２であり、波形屋根２の屋根材の端部を連結した連結山部２ａの上に屋根上取付具５を固定し、その上に溝形フレーム１０を架設して、さらにその上に遮熱シート１を取り付けるようにしたものである。また、波形屋根２は、屋根材が山部においてボルト体４で連結されており、そのボルト体４は連結山部２ａにおいて、波形屋根２を波形屋根２と側面視同形状の屋根材支持具（タイトフレーム）（不図示）で支持した状態で、下方より突出されている。なお、取付対象の屋根は波形屋根２に限定されず、他の形状、構造の屋根であってもよい。
【００２３】
屋根上取付具５は、２つの挟着片５ａを組み合わせてなり、連結山部２ａの上方に突出した連結用のボルト体４の軸部に２つの挟着片５ａを挟着させて屋根に固定される構造となっている。また、溝形フレーム１０は、屋根上取付具５に対してビス止めにて固定される構造となっている。なお、図２（ａ）、（ｂ）中の５ｂは、２つの挟着片５ａを緊締してボルト体４の軸部に挟着させるようにした緊締ボルトである。
【００２４】
このような屋根上取付具５に限らず他の構造のものを用いてもよい。例えば、屋根材がハゼ結合されている屋根の場合、ハゼ部に対して固定可能な屋根上取付具が用いられるが、本発明はそのような屋根上取付具を用いたものについても適用可能である。ようするに、屋根上取付具５については本明細書では一例を示したにすぎず、溝形フレーム１０の屋根への固定手法については、その手段を問わない。
【００２５】
溝形フレーム１０は、金属または硬質の合成樹脂よりなり、底部１１と両側壁部１２とを備えた凹条体に形成されており、両部により溝部１３が形成された構成となっている。両側壁部１２の上端部である開口端部１５は、開口１４が変形することを防止するために、また押さえカバー４０で遮熱シート１を押さえこんだときに遮熱シート１の破損を防止するために、丸く角のない状態に折り返し成形されている。
【００２６】
この溝形フレーム１０の溝部１３には、図１に示すように、ボルトＢを下方より突設させたボルト固定杆２０と、そのボルトＢが挿通されるボルト挿通孔３１を有したシート押さえ部材３０とが、それら２部材間に遮熱シート１を挟み込むように内装され、そのシート押さえ部材３０の上には、ボルトＢが挿通されるとともに溝形フレーム１０の開口１４を塞ぐようにした押さえカバー４０が取り付けられている。
【００２７】
これらボルト固定杆２０、シート押さえ部材３０、および押さえカバー４０のそれぞれは、金属または硬質の合成樹脂よりなり、長手方向の長さ寸法を遮熱シート１の幅寸法と略同一としている。
【００２８】
以下、ボルト固定杆２０、シート押さえ部材３０、押さえカバー４０および遮熱シート１について個別に詳述する。
【００２９】
ボルト固定杆２０は、ボルト挿通孔２２を有した本体片２１と、幅方向の両端より下方に突出した脚片とを有して倒コ字形に形成され、ボルトＢがその軸部Ｂ２を上方に向けてボルト挿通孔２２に挿通された状態で、両脚片が溝形フレーム１０の底部１１の内底面に当接するように配設されている。
【００３０】
また、ボルト固定杆２０をボルトＢを取り付けた状態で溝部１３に載置できるように、上方に突出したボルトＢの軸部Ｂ２には、載置前にあらかじめ落下防止プレート２９を取り付けておくことが望ましい。なお、作業中にボルトＢを落下させないためには、落下防止プレート２９を用いる代わりに、ボルト挿通孔２２をねじ孔とするか、圧入孔としてもよい。
【００３１】
ボルトＢの頭部Ｂ１は両脚片間の凹所に配される。このボルトＢは押さえカバー４０の上方でナットＮａと螺合されるが、螺合作業の際にボルトＢの頭部Ｂ１が回転しないように、凹所の幅寸法をボルトＢの頭部Ｂ１が回らない程度としている。すなわち、両脚片によってボルト回り止め突片２３が構成されている。
【００３２】
一方、シート押さえ部材３０はボルト挿通孔３１を有した帯板体に形成されており、その幅寸法はボルト固定杆２０の幅寸法と同程度である。
【００３３】
ボルト固定杆２０、シート押さえ部材３０の幅寸法は溝形フレーム１０の底部１１に載置できる程度の寸法であればよく、高さ寸法はこれらの合計寸法がこれらを積み重ねた状態で溝部１３に内装される程度の寸法であればよい。なお、遮熱シート１を安定的に固定するために、押さえカバー４０を取り付けたときに溝部１３内にボルトＢの軸部Ｂ２が露出されない程度に、つまりボルト固定杆２０、シート押さえ部材３０を積み重ねた状態の高さが開口端部１５と略同じ高さとなるようにすることが望ましい。
【００３４】
また、押さえカバー４０は、溝形フレーム１０の開口１４を十分に塞ぐことができる程度の幅寸法を有した板状体の本体部４１と、本体部４１の幅方向の両端部より下方に傾斜させた押さえ片４２とを備えている。
【００３５】
押さえカバー４０は、本体部４１が溝形フレーム１０の溝部１３に内装したシート押さえ部材３０の上面と接触するとともに、押さえ片４２が開口端部１５の外側面に接触するように、溝形フレーム１０の上に配されており、ボルト挿通孔４３より突出したボルトＢの軸部Ｂ２にナットＮａが螺合されて、押さえカバー４０は固定されている。
【００３６】
また、押さえ片４２は、押さえカバー４０を配設したときに溝形フレーム１０の開口端部１５との間に遮熱シート１を挟み込むとともに上方から押圧する構成となっている。
【００３７】
つまり、押さえカバー４０は、その本体部４１がシート押さえ部材３０を介して溝部１３内で遮熱シート１を上方より押圧するとともに、押さえ片４２が溝部１３の開口１４の外側で遮熱シート１を挟持し、さらに押さえ片４２の先端が遮熱シート１を押圧する構成となっている。
【００３８】
一方、遮熱シート１は溝部１３内において、ボルト固定杆２０と、シート押さえ部材３０との間に配され、ボルトＢの軸部Ｂ２が挿通されて、横方向にずれないように固定されている。
【００３９】
この遮熱シート１は、柔軟性、伸縮性を有し、太陽熱を反射して遮断・遮熱する合成樹脂シートで形成されることが望ましく、例えば、太陽熱等を反射して遮断・遮熱する銀色等に着色した樹脂糸材を縦横に編んで形成した織物シートを好適に使用できる。
【００４０】
この遮熱シート１は、屋根上に固定した溝形フレーム１０に固定され、複数の溝形フレーム１０間に張設されるようになっている。なお、遮熱シート１には、縦横の樹脂糸材で編み込まれたものを使用すればよいが、本実施形態ではボルトＢを挿通させて固定する構成となっているため、ボルトＢを挿通できる程度の編み目とすることが望ましい。
【００４１】
図３（ａ）、（ｂ）および図４（ｃ）、（ｄ）は、遮熱シート１の取付手順を示した遮熱シートの取付構造の正面図である。図３、図４にもとづいて、遮熱シート１の取付構造の詳細について説明する。
【００４２】
ボルト固定杆２０は、ボルトＢをボルト挿通孔２２より突出させ落下防止プレート２９でボルトＢが落ちないようにして、溝形フレーム１０の溝部１３の内底面に載置され、ボルト固定杆２０の上から屋根上取付具５（図２参照）に対して溝形フレーム１０の底部１１にビス止めされた後（図３、図４には図示省略）、ボルト固定杆２０の上にボルトＢの軸部Ｂ２を挿通させた遮熱シート１が配される（図３（ａ）、（ｂ）参照）。
【００４３】
つぎに、溝形プレート１０の溝部１３にはさらに、ボルト固定杆２０から遮熱シート１を介して上方に突出したボルトＢの軸部Ｂ２がボルト挿通孔３１を挿通するように、シート押さえ部材３０が張力をかけた状態の遮熱シート１の上に載せ置かれる（図３（ｂ）、図４（ｃ）参照）。
【００４４】
そして、シート押さえ部材３０を上方から押さえるように、かつ遮熱シート１、シート押さえ部材３０を介して上方に突出したボルトＢの軸部Ｂ２がボルト挿通孔４３を挿通するように、押さえカバー４０がシート押さえ部材３０の上に載置され、その状態で押さえカバー４０を下方に押圧することで、押さえカバー４０によって開口１４が塞がれ、さらに押さえカバー４０のボルト挿通孔４３より突出したボルトＢの軸部Ｂ２に対してナットＮａが螺合される（図４（ｃ）、（ｄ）参照）。
【００４５】
この押さえカバー４０の取り付け操作によって、シート押さえ部材３０は押さえカバー４０とともに押し込まれて溝部１３に内装され、遮熱シート１をボルト固定杆２０との間で挟み込むこととなる（図４（ｄ）参照）。
【００４６】
また、押さえカバー４０を取り付けた状態では、その押さえ片４２が遮熱シート１を溝形フレーム１０の開口端部１５との間に挟み込むとともに、押さえ片４２の先端で遮熱シート１を下方に押圧する。
【００４７】
以上に示した遮熱シートの取付構造によれば、溝形フレーム１０の溝部１３内において、ボルトＢを突設させたボルト固定杆２０と、シート押さえ部材３０との間に遮熱シート１をボルトＢに挿通した状態で挟み込んで固定する構造となっているため、遮熱シート１がボルトＢで横方向にずれないように仮固定された状態で作業できる。そのため、遮熱シート１を溝部１３内に押さえ込むような工具を使う必要はなく、簡易、迅速に遮熱シート１を取り付けることができる。
【００４８】
特に、一端が固定されている遮熱シート１の中間部等を固定する場合、遮熱シート１を張った状態を維持しながら固定する必要があるが、そのような場合でも上方に突出したボルトＢの軸部Ｂ２に遮熱シート１を挿通させて仮止め状態にしておけば、その後、シート押さえ部材３０、押さえカバー４０を取り付けることで遮熱シート１の張り具合を強固にできる。よって、施工後に遮熱シート１が弛んだり、外れたりすることを防止できる。
【００４９】
さらに、ボルト固定杆２０に対して、遮熱シート１と、シート押さえ部材３０と、押さえカバー４０とをボルトＢ、ナットＮａにより固定する構成であるため、ビス止めによる削り粉である切粉が発生することはなく、当然に切粉の除去作業の必要はなく、取付作業の迅速化が図れる。また、素材が金属の場合であっても切粉を原因とする錆の発生はない。なお、ボルト固定杆２０は溝形フレーム１０に対してビス止めされるが、シート押さえ部材３０および押さえカバー４０を取り付ける前にビス止めするので、切粉は容易に取り除くことができる。
【００５０】
また、本実施形態のものでは、溝形フレーム１０の溝部１３の開口１４を塞ぐ押さえカバー４０で、溝形フレーム１０の溝部１３に内装されるシート押さえ部材３０を押圧する構成となっているため、遮熱シート１を強く張った状態で固定することができる。
【００５１】
なお、本実施形態では、溝部１３の深さ寸法と、ボルト固定杆２０およびシート押さえ部材３０の合計高さ寸法とを略同じにすることで、遮熱シート１がシート押さえ部材３０と、ボルト固定杆２０との間で挟み込まれて、遮熱シート１がより安定的に張設される構成となっている。
【００５２】
上記のように部材間の寸法調整をすることが遮熱シート１の安定的な配設には望ましいが、図５（ａ）に示すように、シート押さえ部材３０と、ボルト固定杆２０との間に隙間ができるものでもよく、また図５（ｂ）に示すように、シート押さえ部材３０を溝部１３内で中間ナットＮｂで固定するようにしてもよい。
【００５３】
つまり、図５（ａ）のように、シート押さえ部材３０の押圧のみで遮熱シート１を張力調整してもよいし、図５（ｂ）のように、遮熱シート１をシート押さえ部材３０で押圧するとともに、シート押さえ部材３０とボルト固定杆２０との間へ挟み込むことによって張力調整してもよい。
【００５４】
ようするに、溝形フレーム１０の溝部１３の深さがボルト固定杆２０およびシート押さえ部材３０の合計高さよりも深い場合でも、遮熱シート１の張力調整をなんら問題なく行える。
【００５５】
また、本実施形態では、シート押さえ部材３０と押さえカバー４０の２部材で、遮熱シート１を押圧するシート押さえ体Ａを構成しているが、いずれか一方で構成してもよい。
【００５６】
例えば、図６に示すように、遮熱シート１の端部においては、ボルトＢに対して押さえカバー４０のみで固定してもよい。つまり、遮熱シート１の端部を屋根上に最初に溝形フレーム１０へ取り付ける際には、遮熱シート１を張った状態で固定する必要がないから、このような簡易な取付構造であってもよい。
【００５７】
また、溝形フレーム１０の開口１４を塞がなくてもよい場合には、押さえカバー４０を取り付けずに、シート押さえ部材３０を直接ナット止めすることで遮熱シート１を固定するようにしてもよい。
【００５８】
また、シート押さえ体Ａは、図７（ａ）、（ｂ）に示すように、押さえカバー４０が上記シート押さえ部材３０と同等な作用を有したシート押さえ部４５を一体的に備えた形状であってもよい。
【００５９】
なお、遮熱シート１をボルト固定杆２０との間で挟み込むシート押さえ部４５は、少なくとも幅方向の両端で遮熱シート１を押さえることができればよいため、図７（ｂ）に示すように、中程を肉抜き形成したシート押さえ部４５であってもよい。
【００６０】
このようにシート押さえ部４５を一体化した押さえカバー４０をシート押さえ体Ａとして用いることで、遮熱シート１の押圧操作を手間なく行うことができ、屋根上での遮熱シート張設作業をさらに迅速に行うことができる。
【００６１】
以上の実施形態では、シート押さえ部材３０を溝形フレーム１０の長手方向に沿って帯状に形成したものを例示したが、シート押さえ部材３０を、例えばボルトＢの取付位置ごとに分離した構成としてもよい。
【００６２】
上述したように、本発明によれば、遮熱シート１の取り付け施工の際に遮熱シート１をボルトＢに挿通させて溝形フレーム１０の溝部１３内で押さえ込む位置を確定できるため、分離されたシート押さえ体を順に取り付けるようにしても手間はかからない。
【符号の説明】
【００６３】
１０      溝形フレーム
１１      底部
１２      側壁部
１３      溝部
１４      開口
１５      開口端部
２０      ボルト固定杆
２１      本体片
２２      ボルト挿通孔
２３      ボルト回り止め突片（脚片）
２９      落下防止プレート
Ａ      シート押さえ体
３０      シート押さえ部材
３１      ボルト挿通孔
４０      押さえカバー
４１      本体部
４２      押さえ片
４３      ボルト挿通孔
４５      シート押さえ部
Ｂ      ボルト
Ｂ１      頭部
Ｂ２      軸部
Ｎａ      ナット
Ｎｂ      中間ナット
１      遮熱シート
２      波形屋根
２ａ      連結山部
４      ボルト体
５      屋根上取付具
【図１】
0005606999.tif 000002
【図２】
0005606999.tif 000003
【図３】
0005606999.tif 000004
【図４】
0005606999.tif 000005
【図５】
0005606999.tif 000006
【図６】
0005606999.tif 000007
【図７】
0005606999.tif 000008